(57)【特許請求の範囲】
【請求項１】
本体と、蛍光灯と、この蛍光灯点灯用であってボードに形成されて成る電子式安定器と、前記本体と前記蛍光灯との間に配置されるとともに前記電子式安定器を前記本体とで覆う反射板と、前記蛍光灯の点灯切替用であって操作方向に引っ張られる引き輪を有するスイッチとを備え、このスイッチは前記電子式安定器のボードに設けられ、このボードの両側を挟持する複数の掛止部と、前記スイッチの操作方向側の側面と対向する突部とが前記本体側に設けられ、この突部には前記引き輪収納用のスリットが設けられ、前記スリットの片側にはこのスリットに前記引き輪を誘導するためのさそいが設けられ、前記ボードはこの両側の一方と他方とが順次前記複数の掛止部で掛止されて前記本体側に固定される照明器具。
【請求項２】
本体と、蛍光灯と、この蛍光灯点灯用であってボードに形成されて成る電子式安定器と、前記本体と前記蛍光灯との間に配置されるとともに前記電子式安定器を前記本体とで覆う反射板と、前記蛍光灯の点灯切替用であって操作方向に引っ張られる引き輪を有するスイッチとを備え、このスイッチは前記電子式安定器のボードに設けられ、このボードの両側を挟持する複数の掛止部と、前記スイッチの操作方向側の側面と対向する突部とが前記本体側に設けられ、この突部には前記引き輪収納用のスリットが設けられ、前記スリットは鉛直方向に対して傾きを有することで、あるいは片側にテーパを有することで、当該スリットに前記引き輪を誘導するさそいとしても機能し、前記ボードはこの両側の一方と他方とが順次前記複数の掛止部で掛止されて前記本体側に固定される照明器具。
【請求項３】
前記本体は絶縁性の材料により成る成形品であって前記突部を有し、前記複数の掛止部は前記本体に設けられて成る請求項１または２記載の照明器具。
【請求項４】
前記本体と前記電子式安定器との間に介設され前記突部を有する絶縁板を備え、前記複数の掛止部は前記絶縁板に設けられて成る請求項１または２記載の照明器具。
【請求項５】
前記電子式安定器を構成する部品のうち、撓みに弱い部品は、前記ボードが前記本体側に固定される際、そのボードにおける撓みの小さい側に実装される請求項１〜４のいずれかに記載の照明器具。
【請求項６】
前記スイッチの操作方向へのそのスイッチの動きを規制するリブが前記本体側に設けられて成る請求項１または２記載の照明器具。
【請求項７】
前記本体は絶縁性の材料により成る成形品であって前記突部を有し、この突部の前記スイッチ側には前記リブが形成され、このリブの端面は前記スイッチの操作方向側の側面と当接ないし近接している請求項６記載の照明器具。
【請求項８】
前記本体と前記電子式安定器との間に介設され前記突部を有する絶縁板を備え、前記突部の前記スイッチ側には前記リブが形成され、このリブの端面は前記スイッチの操作方向側の側面と当接ないし近接している請求項６記載の照明器具。
【請求項９】
前記反射板側に位置する前記リブの側面はテーパになっている請求項６〜８のいずれかに記載の照明器具。
【発明の詳細な説明】
【０００１】
【発明の属する技術分野】
本発明は、本体、蛍光灯、この蛍光灯点灯用の電子式安定器、本体と蛍光灯との間に配置される反射板、および蛍光灯の点灯切替用のスイッチなどを備えて成る照明器具に関するものである。
【０００２】
【従来の技術】
従来、この種の照明器具では、電子式安定器と点灯切替用のスイッチとが別置され、スイッチは本体、または本体と電子式安定器との間に介設される絶縁板にねじ止めされる。
【０００３】
また、電子式安定器は、ねじ止めまたはロッキングサポートで本体または絶縁板に固定される場合がある（特開平３−９８２０３号公報および特開平１０−２６９８３８号公報参照）。
【０００４】
【発明が解決しようとする課題】
しかしながら、電子式安定器と点灯切替用のスイッチとが別置される従来の照明器具では、配線処理およびねじ止めの工程が必要となる課題がある。
【０００５】
また、電子式安定器を本体または絶縁板にねじ止めまたはロッキングサポートで固定する場合、電子式安定器の基板に孔が必要となるので、その実装面積が減少し、実装設計の自由度が狭くなる。この問題は、電子式安定器をこの基板外周に爪などを引っかけて固定すれば解決可能になるものの、掛止の際に基板が撓んで実装部品の破断ないし断線などの不良が発生しやすくなるという別の問題が発生し、基板に加わる圧力を小さくするためにたわみの良好な材質で爪を形成するなどの制約が生じる。
【０００６】
本発明は、上記事情に鑑みてなされたものであり、電子式安定器および点灯切替用のスイッチに対する配線処理が不要で、スイッチのねじ止めが不要となる照明器具を提供することを目的とする。
【０００７】
【課題を解決するための手段】
上記課題を解決するために請求項１記載の発明の照明器具は、本体と、蛍光灯と、この蛍光灯点灯用であってボードに形成されて成る電子式安定器と、前記本体と前記蛍光灯との間に配置されるとともに前記電子式安定器を前記本体とで覆う反射板と、前記蛍光灯の点灯切替用であって操作方向に引っ張られる引き輪を有するスイッチとを備え、このスイッチは前記電子式安定器のボードに設けられ、このボードの両側を挟持する複数の掛止部と、前記スイッチの操作方向側の側面と対向する突部とが前記本体側に設けられ、この突部には前記引き輪収納用のスリットが設けられ、前記スリットの片側にはこのスリットに前記引き輪を誘導するためのさそいが設けられ、前記ボードはこの両側の一方と他方とが順次前記複数の掛止部で掛止されて前記本体側に固定されるのである。
【０００８】
この構造では、スイッチが電子式安定器のボードに設けられるので、電子式安定器およびスイッチに対する配線処理が不要となる。また、ボードの両側が複数の掛止部で狭持されるので、ボードの取付けが容易になり、スイッチのねじ止めが不要となる。さらに、ボードはこの両側の一方と他方とが順次複数の掛止部で掛止されて本体側に固定されるので、ボードにおける撓みの大きい箇所が限定（特定）されるようになる。また、ボードの本体側への取付順序を構造的に指定する効果が得られるので、ボードにおける撓みの大きい箇所がより確実に限定されるようになる。
【０００９】
請求項２記載の発明の照明器具は、本体と、蛍光灯と、この蛍光灯点灯用であってボードに形成されて成る電子式安定器と、前記本体と前記蛍光灯との間に配置されるとともに前記電子式安定器を前記本体とで覆う反射板と、前記蛍光灯の点灯切替用であって操作方向に引っ張られる引き輪を有するスイッチとを備え、このスイッチは前記電子式安定器のボードに設けられ、このボードの両側を挟持する複数の掛止部と、前記スイッチの操作方向側の側面と対向する突部とが前記本体側に設けられ、この突部には前記引き輪収納用のスリットが設けられ、前記スリットは鉛直方向に対して傾きを有することで、あるいは片側にテーパを有することで、当該スリットに前記引き輪を誘導するさそいとしても機能し、前記ボードはこの両側の一方と他方とが順次前記複数の掛止部で掛止されて前記本体側に固定されるのである。
【００１０】
この構造では、スイッチが電子式安定器のボードに設けられるので、電子式安定器およびスイッチに対する配線処理が不要となる。また、ボードの両側が複数の掛止部で狭持されるので、ボードの取付けが容易になり、スイッチのねじ止めが不要となる。さらに、ボードはこの両側の一方と他方とが順次複数の掛止部で掛止されて本体側に固定されるので、ボードにおける撓みの大きい箇所が限定（特定）されるようになる。また、ボードの本体側への取付順序を構造的に指定する効果が得られるので、ボードにおける撓みの大きい箇所がより確実に限定されるようになる。
【００１１】
また、請求項１または２記載の照明器具において、前記本体は絶縁性の材料により成る成形品であって前記突部を有し、前記複数の掛止部は前記本体に設けられて成る構造でもよい（請求項３）。この構造によれば、突部に引き輪収納用のスリットが設けられるので、スイッチの操作方向におけるそのスイッチの過度の動きが好適に阻止されるようになる。
【００１２】
さらに、請求項１または２記載の照明器具において、前記本体と前記電子式安定器との間に介設され前記突部を有する絶縁板を備え、前記複数の掛止部は前記絶縁板に設けられて成る構造でもよい（請求項４）。この構造によれば、突部に引き輪収納用のスリットが設けられるので、スイッチの操作方向におけるそのスイッチの過度の動きが好適に阻止されるようになる。
【００１３】
また、請求項１〜４のいずれかに記載の照明器具において、前記電子式安定器を構成する部品のうち、撓みに弱い部品は、前記ボードが前記本体側に固定される際、そのボードにおける撓みの小さい側に実装される構造でもよい（請求項５）。この構造によれば、不良率が低減するようになる。
【００１４】
さらに、請求項１または２記載の照明器具において、前記スイッチの操作方向へのそのスイッチの動きを規制するリブが前記本体側に設けられて成る構造でもよい（請求項６）。この構造によれば、スイッチの操作時、スイッチの操作方向へのそのスイッチの動きがリブで規制されるので、スイッチのリード部に加わる応力が低減するようになり、スイッチの操作によるスイッチのリード部のはんだのクラックなどを防止することができる。また、スイッチのねじ止めが不要となり、ねじコスト、ねじ締め付け工数を削減でき、ねじによる固定なしでも、スイッチの操作に対する長期使用に耐えうるものとなる。
【００１５】
なお、請求項６記載の照明器具において、前記本体は絶縁性の材料により成る成形品であって前記突部を有し、この突部の前記スイッチ側には前記リブが形成され、このリブの端面は前記スイッチの操作方向側の側面と当接ないし近接している構造でもよい（請求項７）。この構造によれば、この構造によれば、電子式安定器およびスイッチに対する配線処理が不要で、スイッチのねじ止めが不要となる。
【００１６】
また、請求項６記載の照明器具において、前記本体と前記電子式安定器との間に介設され前記突部を有する絶縁板を備え、前記突部の前記スイッチ側には前記リブが形成され、このリブの端面は前記スイッチの操作方向側の側面と当接ないし近接している構造でもよい（請求項８）。この構造によれば、電子式安定器およびスイッチに対する配線処理が不要で、スイッチのねじ止めが不要となる。
【００１７】
さらに、請求項６〜８のいずれかに記載の照明器具において、前記反射板側に位置する前記リブの側面はテーパになっている構造でもよい（請求項９）。この構造によれば、スイッチのリブへの乗り上げが防止され、電子式安定器の取付時の位置決めが容易になる。
【００１９】
【発明の実施の形態】
図１は本発明に係る第１実施形態の照明器具の本体、電子式安定器およびスイッチなどを示す図、図２は本照明器具の分解斜視図、図３は本照明器具を、カバーを外した状態で見た斜視図、図４（ａ），（ｂ）はそれぞれ図１に示す電子安定器近傍の拡大図および電子安定器の本体への取付手順の説明図、図５は図１に示すスイッチ近傍の拡大図、図６は図１に示す本体の突台部の斜視図で、これらの図を用いて以下に第１実施形態の説明を行う。
【００２０】
本照明器具は、図２に示すように、取付アダプタＡを介して引掛シーリングＢや埋込ローゼットなどの配線器具に取り付けられる天井取付型であって、絶縁性の樹脂（例えばポリカーボネイトのような熱可塑性樹脂など）により円盤状に成形されて成る本体１と、環形で定格出力および管径が異なる大小２種類の蛍光灯２と、蛍光灯点灯用であってＵ字状のプリント配線基板３０に形成されて成る電子式安定器３と、本体１と蛍光灯２との間に配置されるとともに電子式安定器３を本体１とで覆う反射板４と、蛍光灯２の点灯／消灯切替用のスイッチ５と、蛍光ランプ２および反射板４を覆うように本体１に取り付けられる透光性のカバー６とを備えている。
【００２１】
上記構成の照明器具の各部についてさらに説明すると、本体１には、取付アダプタＡ挿入用の円状の開口部１０が中央に形成され、その開口部１０周縁の下面側に合成樹脂製の円筒部材１１が取り付けられている。この円筒部材１１の上部内周面には全周に渡って係合突部１１０が周設されている。従って、開口部１０に取付アダプタＡを挿入し、取付アダプタＡの一対の係止片Ａ１を円筒部材１１の係合突部１１０に係合すれば、本体１が取付アダプタＡおよび引掛シーリングＢを介して天井面に取り付けられることになる。
【００２２】
また、本体１の下面には、図１に示すように、プリント配線基板３０の両側を狭持するものであって爪１２０を各先端に有する複数の掛止部１２と、プリント配線基板３０を本体１から離間させるとともに水平方向の移動を阻止する断面Ｔ字状の複数の突部１３とが一体に形成されている。これらの各突部１３は、Ｔ字状の足部１３０が本体１とプリント配線基板３０との間に介在することで、プリント配線基板３０を本体１から離間させ、その足部１３０よりも高い頭部１３１でプリント配線基板３０の水平方向の移動を阻止する。従って、図４に示すように、プリント配線基板３０の右端を、右側の突部１３の足部１３０上に載せて右側の掛止部１２で掛止し、プリント配線基板３０の上下端を上下側の各突部１３の間にくるように位置合わせを行いつつ、プリント配線基板３０の左端を、左側の突部１３の足部１３０上に載せ且つ左側の掛止部１２で掛止すれば、プリント配線基板３０が本体１の下面に取付固定されることになる。
【００２３】
また、本体１の上面には、図２および図３に示すように、弾性を有するＶ字状の線材により成るスイッチレバー１４が、本体１の外側に突出し且つ両端を支点として回動自在に取着されており、その先端部分にはリング部１４０が形成されている。
【００２４】
ここで、スイッチ５は、図１および図５に示すように、角状の本体５０の一の側面５０ａに、スイッチ操作方向に引っ張られる引き輪５１を有するプルスイッチであり、その引き輪５１がプリント配線基板３０の縁部から突出し、且つ引き輪５１のある本体５０の側面５０ａがプリント配線基板３０の縁部周面とほぼ面一となるように、プリント配線基板３０上に実装される。
【００２５】
さらに、本体１には、下面側に突出する突台部１５が、この一の面１５ａとスイッチ５の本体５０の側面５０ａとが互いに近接して対面するように突設されており、突台部１５にはスイッチ５の引き輪５１収納用のスリット１６が形成されている。また、このスリット１６には、スイッチ５の引き輪５１に一端が結束され他端側がスイッチレバー１４のリング部１４０に挿通される紐体７が挿通される（図３参照）。また、突台部１５の上記一の面１５ａには、図５および図６に示すように、リブ１７が、この一の面１７ａとスイッチ５の本体５０の側面５０ａとが互いに近接ないし当接するように突設されており、反射板４側に位置するリブ１７の側面１７ｂはテーパになっている。
【００２６】
図２に戻って、電子式安定器３は、商用電源を整流する整流器や、ＦＥＴおよびＬＣＲ素子などにより成るインバータ回路などにより構成され、取付アダプタＡのコネクタに接続される電源線３１を介して商用電源から電力の供給を受け、これを高周波電力に変換してソケット３２を介して蛍光灯２に供給することで、蛍光灯２を点灯させる。また、豆球着脱用の豆球ソケットなどもプリント配線基板３０に実装される。
【００２７】
反射板４は、板状の金属部材によって椀状に形成され、その開口端周縁には全周に渡って外鍔４０が突設されている。また、反射板４の平坦な底面には、円筒部材１１内に位置する取付アダプタＡを露出する円状の露出孔４１などが設けられている。さらに、反射板４の斜面には蛍光ランプ２を支持する一対の支持ばね４２が取着されており、底面を挟んで支持ばね４２と対向する位置の周面にソケット３２挿通用の挿通溝４３が設けてある。従って、円筒部材１１およびプリント配線基板３０などを内部に収め且つ外鍔４０を本体１の下面に当接させるようにして反射板４を本体１に取り付ければ、プリント配線基板３０に実装されたソケット３２が挿通溝４３から反射板４の外に突出し、ソケット３２に装着される蛍光灯２と本体１との間に反射板４が配置されることになる。
【００２８】
カバー６は、図３に示すように、アクリル樹脂のような透光性を有する合成樹脂によって上面に円状の開口を有するドーム状に形成されている。開口の周縁からは全周に渡って周壁６０が立設されるとともに、周壁６０の先端からは外向きに突出するフランジ部６１が形成されている。また、周壁６０の内周面には、平面視略山形で周壁６０の高さよりも若干小さな厚み寸法を有する係止爪６２が略等間隔に複数個突設されている。ここで、本体１の下面周縁近傍にはカバー６の係止爪６２が係脱自在に係止固定される複数個の固定部１８が本体１の周方向に沿って略等間隔に本体１から一体に突設されている。従って、カバー６の開口内に蛍光灯２や反射板４などを収納しながら、本体１の各固定部１８に係止爪６２を係止すれば、カバー６が本体１に取付固定されることになる。
【００２９】
このように構成されまた天井面に固定される本照明器具によれば、スイッチを電子式安定器のプリント配線基板に設けたので、電子式安定器およびスイッチに対する配線処理が不要となる。また、スイッチ操作時、スイッチの操作方向へのそのスイッチの本体の動きがリブで規制されるので、スイッチのリード部に加わる応力が低減し、スイッチ操作によるスイッチのリード部のはんだクラックなどを防止することができる。また、スイッチのねじ止めが不要となり、ねじコスト、ねじ締め付け工数を削減でき、ねじによる固定なしでも、スイッチ操作に対する長期使用に耐えうるものとなる。また、突台部１５に引き輪５１収納用のスリット１６を形成したので、スイッチ操作方向へのスイッチ５の過度の動きが好適に阻止されることになる。
【００３０】
また、リブ１７の側面１７ｂがテーパになっているので、スイッチ５のリブ１７への乗り上げを防ぎ、電子式安定器３の取付時の位置決めを容易にすることができる。
【００３１】
また、プリント配線基板３０の両側を狭持する複数の掛止部１２を本体１に設けたので、プリント配線基板３０の本体１への取付けが容易になる。
【００３２】
さらに、上述の如く、プリント配線基板３０の右端を、右側の突部１３の足部１３０上に載せて右側の掛止部１２で掛止し、プリント配線基板３０の上下端を上下側の各突部１３の間にくるように位置合わせを行いつつ、プリント配線基板３０の左端を、左側の突部１３の足部１３０上に載せ且つ左側の掛止部１２で掛止する取付順序を指定することで、撓みの大きい箇所を図４（ａ）に示す斜線部に限定することができる。これにより、その斜線部を避けて撓みに弱い部品を実装することで照明器具の不良率低減が可能になる。
【００３３】
図７は本発明に係る第２実施形態の照明器具のスイッチ近傍を示す拡大図、図８は図７におけるスイッチの引き輪収納用のスリット近傍を示す拡大図で、これらの図を用いて以下に第２実施形態の説明を行う。
【００３４】
本照明器具は、スリット１６に引き輪５１を誘導するべく、突台部１５におけるスリット１６の片側（図７では右側）に、スリット１６に対して斜面となるテーパを有するさそい部１６Ａを設けた点以外は、第１実施形態の照明器具と同様に構成されて成る。
【００３５】
さそい部１６Ａは、プリント配線基板３０を第１実施形態と同様の手順で本体１に取付固定した場合に、スリット１６に引き輪５１を誘導するさそいとして機能する。これにより、プリント配線基板３０の本体１への取付順序を構造的に指定する効果が得られるので、プリント配線基板３０の撓みの大きい箇所をより確実に限定することができる。
【００３６】
図９は本発明に係る第３実施形態の照明器具のスイッチ近傍を示す拡大図、図１０は図９におけるスイッチの引き輪収納用のスリット近傍を示す拡大図で、これらの図を用いて以下に第３実施形態の説明を行う。
【００３７】
本照明器具は、第１実施形態のスリット１６に代えてスリット１６Ｂを備え、このスリット１６Ｂの反射板４側と本体１側とを結ぶ方向を、鉛直方向に対して傾きを持たせ、その傾きで引き輪５１を当該スリット１６Ｂに誘導する構造になっている以外は、第１実施形態の照明器具と同様に構成される。
【００３８】
上記スリット１６Ｂの傾きにより、プリント配線基板３０の本体１への取付順序を構造的に指定する効果が得られるので、プリント配線基板３０の撓みの大きい箇所をより確実に限定することができる。
【００３９】
図１１は本発明に係る第４実施形態の照明器具の引き輪収納用のスリット近傍を示す拡大図で、この図を用いて以下に第４実施形態の説明を行う。
【００４０】
本照明器具は、第１実施形態のスリット１６に代えてスリット１６Ｃを備え、このスリット１６Ｃの片側（図では右方側）にテーパを設け、このテーパで引き輪５１を当該スリット１６Ｃに誘導する構造になっている以外は、第１実施形態の照明器具と同様に構成される。
【００４１】
上記スリット１６Ｃのテーパにより、プリント配線基板３０の本体１への取付順序を構造的に指定する効果が得られるので、プリント配線基板３０の撓みの大きい箇所をより確実に限定することができる。
【００４２】
なお、上記各実施形態では、電子式安定器３のプリント配線基板３０は、本体１に直接取付固定される構造になっているが、これに限らず、絶縁板を介して本体に取付固定される構造でもよい。例えば、図１２に示すように、上記各実施形態における本体１の掛止部１２および突部１３にそれぞれ対応する掛止部８２および突部８３を有する絶縁板８を設け、この絶縁板８を本体（この場合、樹脂製でも金属製でもよい）に取り付ければよい。
【００４３】
また、例えば、上記各実施形態における突台部の一部、スリットおよびリブにそれぞれ対応する突台部８５、スリット８６およびリブ８７を上記絶縁板８に設ければ、上記各実施形態と同様の効果を得ることができる。
【００４４】
【発明の効果】
以上のことから明らかなように、請求項１記載の発明によれば、本体と、蛍光灯と、この蛍光灯点灯用であってボードに形成されて成る電子式安定器と、前記本体と前記蛍光灯との間に配置されるとともに前記電子式安定器を前記本体とで覆う反射板と、前記蛍光灯の点灯切替用であって操作方向に引っ張られる引き輪を有するスイッチとを備え、このスイッチは前記電子式安定器のボードに設けられ、このボードの両側を挟持する複数の掛止部と、前記スイッチの操作方向側の側面と対向する突部とが前記本体側に設けられ、この突部には前記引き輪収納用のスリットが設けられ、前記スリットの片側にはこのスリットに前記引き輪を誘導するためのさそいが設けられ、前記ボードはこの両側の一方と他方とが順次前記複数の掛止部で掛止されて前記本体側に固定されるので、電子式安定器およびスイッチに対する配線処理を不要にし、スイッチのねじ止めを不要にすることができる。また、ボードにおける撓みの大きい箇所の確実な限定が可能になる。
【００４５】
請求項２記載の発明によれば、本体と、蛍光灯と、この蛍光灯点灯用であってボードに形成されて成る電子式安定器と、前記本体と前記蛍光灯との間に配置されるとともに前記電子式安定器を前記本体とで覆う反射板と、前記蛍光灯の点灯切替用であって操作方向に引っ張られる引き輪を有するスイッチとを備え、このスイッチは前記電子式安定器のボードに設けられ、このボードの両側を挟持する複数の掛止部と、前記スイッチの操作方向側の側面と対向する突部とが前記本体側に設けられ、この突部には前記引き輪収納用のスリットが設けられ、前記スリットは鉛直方向に対して傾きを有することで、あるいは片側にテーパを有することで、当該スリットに前記引き輪を誘導するさそいとしても機能し、前記ボードはこの両側の一方と他方とが順次前記複数の掛止部で掛止されて前記本体側に固定されるので、電子式安定器およびスイッチに対する配線処理を不要にし、スイッチのねじ止めを不要にすることができる。また、ボードにおける撓みの大きい箇所の確実な限定が可能になる。
【００４６】
請求項３記載の発明によれば、請求項１または２記載の照明器具において、前記本体は絶縁性の材料により成る成形品であって前記突部を有し、前記複数の掛止部は前記本体に設けられて成るので、スイッチの操作方向におけるそのスイッチの過度の動きを好適に阻止することができる。
【００４７】
請求項４記載の発明によれば、請求項１または２記載の照明器具において、前記本体と前記電子式安定器との間に介設され前記突部を有する絶縁板を備え、前記複数の掛止部は前記絶縁板に設けられて成るので、スイッチの操作方向におけるそのスイッチの過度の動きを好適に阻止することができる。
【００４８】
請求項５記載の発明によれば、請求項１〜４のいずれかに記載の照明器具において、前記電子式安定器を構成する部品のうち、撓みに弱い部品は、前記ボードが前記本体側に固定される際、そのボードにおける撓みの小さい側に実装されるので、不良率低減が可能になる。
【００４９】
請求項６記載の発明によれば、請求項１または２記載の照明器具において、前記スイッチの操作方向へのそのスイッチの動きを規制するリブが前記本体側に設けられて成るので、電子式安定器およびスイッチに対する配線処理を不要にし、スイッチのねじ止めを不要にすることができる。これにより、ねじコスト、ねじ締め付け工数を削減できる。また、スイッチの操作によるスイッチのリード部のはんだクラックなどを防止することができ、ねじによる固定なしでも、スイッチの操作に対する長期使用に耐えうるものにできる。
【００５０】
請求項７記載の発明によれば、請求項６記載の照明器具において、前記本体は絶縁性の材料により成る成形品であって前記突部を有し、この突部の前記スイッチ側には前記リブが形成され、このリブの端面は前記スイッチの操作方向側の側面と当接ないし近接しているので、電子式安定器およびスイッチに対する配線処理を不要にし、スイッチのねじ止めを不要にすることができる。
【００５１】
請求項８記載の発明によれば、請求項６記載の照明器具において、前記本体と前記電子式安定器との間に介設され前記突部を有する絶縁板を備え、前記突部の前記スイッチ側には前記リブが形成され、このリブの端面は前記スイッチの操作方向側の側面と当接ないし近接しているので、電子式安定器およびスイッチに対する配線処理を不要にし、スイッチのねじ止めを不要にすることができる。
【００５２】
請求項９記載の発明によれば、請求項６〜８のいずれかに記載の照明器具において、前記反射板側に位置する前記リブの側面はテーパになっているので、スイッチのリブへの乗り上げを防止し、電子式安定器の取付時の位置決めを容易にすることができる。
【図面の簡単な説明】
【図１】本発明に係る第１実施形態の照明器具の本体、電子式安定器およびスイッチなどを示す図である。
【図２】第１実施形態の照明器具の分解斜視図である。
【図３】第１実施形態の照明器具を、カバーを外した状態で見た斜視図である。
【図４】（ａ），（ｂ）はそれぞれ図１に示す電子安定器近傍の拡大図および電子安定器の本体への取付手順の説明図である。
【図５】図１に示すスイッチ近傍の拡大図である。
【図６】図１に示す本体の突台部の斜視図である。
【図７】本発明に係る第２実施形態の照明器具のスイッチ近傍を示す拡大図である。
【図８】図７におけるスイッチの引き輪収納用のスリット近傍を示す拡大図である。
【図９】本発明に係る第３実施形態の照明器具のスイッチ近傍を示す拡大図である。
【図１０】図９におけるスイッチの引き輪収納用のスリット近傍を示す拡大図である。
【図１１】本発明に係る第４実施形態の照明器具の引き輪収納用のスリット近傍を示す拡大図である。
【図１２】絶縁板をさらに設けた場合の一例を示す図である。
【符号の説明】
１  本体
１０  開口部
１１  円筒部材
１１０  係合突部
１２  掛止部
１２０  爪
１３  突部
１３０  足部
１３１  頭部
１４  スイッチレバー
１４０  リング部
１５  突台部
１６，１６Ｂ，１６Ｃ  スリット
１６Ａ  さそい部
１７  リブ
１８  固定部
２  蛍光灯
３  電子式安定器
３０  プリント配線基板
３１  電源線
３２  ソケット
４  反射板
４０  外鍔
４１  露出孔
５  スイッチ
５０  本体
５１  引き輪
６  カバー
６０  周壁
６１  フランジ部
６２  係止爪
７  紐体
８  絶縁板
８２  掛止部
８３  突部
８５  突台部
８６  スリット
８７  リブ
【図１】
0004013436.tif 000002
【図２】
0004013436.tif 000003
【図３】
0004013436.tif 000004
【図４】
0004013436.tif 000005
【図５】
0004013436.tif 000006
【図６】
0004013436.tif 000007
【図７】
0004013436.tif 000008
【図８】
0004013436.tif 000009
【図９】
0004013436.tif 000010
【図１０】
0004013436.tif 000011
【図１１】
0004013436.tif 000012
【図１２】
0004013436.tif 000013